(57)【要約】      （修正有）【課題】  老人や乳児など吸引する力が弱い使用者に、人工乳首状吸い口の授乳動作による吸引及び、容器本体への圧迫操作を行うことにより、または、介助者が容器本体への圧迫補助を行うことにより安全で衛生的に吸引行動を補助することが出来る容器を提供する。【解決手段】  主に飲料や流動性を有する食品を密封包装するフィルムまたは積層シート製の吸引動作補助容器であって、老人や乳児が内容物を飲用や食する際、容器に設けられた人工乳首状吸い口の授乳動作による吸引及び、容器本体の圧迫操作を用いて吸引動作の補助を行い、または、介助者が容器本体の圧迫補助を行うことにより内容物をこぼすことなく、安全且つ衛生的に飲用または食することのできる吸引動作補助容器を構成する。【選択図】図１
2007186252.tif 000002
【特許請求の範囲】
【請求項１】
飲料やその他の流動性を有する内容物を密封包装するフィルムまたは積層シート製の袋状容器において、該袋状容器に人工乳首状吸い口を設けたストローを接合し、人工乳首状吸い口での授乳動作による吸引及び、容器本体への圧迫操作による吸引動作を補助することを特徴とする袋状吸引動作補助容器。
【請求項２】
ストロー先端に設けた人工乳首状吸い口の吸引部を折り込んで収納するキャップを設けたことを特徴とする請求項１記載の袋状吸引動作補助容器。
【請求項３】
ストロー先端に設定された人工乳首状吸い口の吸引部を折り込んで包装したことを特徴とする請求項１記載の袋状吸引動作補助容器。
【請求項４】
ストロー先端に人工乳首状吸い口の吸引部を着脱式に設定したことを特徴とする請求項１記載の袋状吸引動作補助容器。
【請求項５】
該ストロー先端に着脱式に装着する人工乳首状吸い口部のスペア。
【発明の詳細な説明】
【発明の詳細な説明】
【技術分野】
【０００１】  本発明は、主に飲料及びその他の流動性を有する内容物を密封包装するフィルムまたは積層シート製の容器であって、内容物を飲用する際、該容器に設けられた人工乳首状吸い口に直接口を付けて、人工乳首状吸い口の授乳動作による弾性吸引または容器本体の圧迫操作による吸引動作を補助し、内容物を安全且つ衛生的に飲用することのできる袋状吸引動作補助容器に関する。
【背景技術】
【０００２】  現在、飲料などを密封包装する容器では、缶製容器やペット樹脂製容器などが主流である。また、ストローを使用する紙製の容器や、近年では、飲み口として、樹脂製の成形体によるキャップ付きノズル部を本体に接着したパウチ容器が実用化されている。これらの容器は、乳児や老人など吸引する力が弱い使用者には、飲み口を自力で咥える事が困難なため、当然、自力での飲料を摂取することは困難であり、また、むせる等の危険性が指摘され問題であった。
【発明の開示】
【発明が解決しようとする課題】
【０００３】
【０００４】  しかしながら、例えば、ストロー状の太い飲み口を設けても自力で咥える事が困難な乳児や老人には吸引を促すことが出来ない。また、哺乳瓶の場合には、飲み口に設けられた人工乳首によりある程度の吸引を補助することは出来るが、容器本体がガラスや樹脂で形成されているために容器内の空気を取り除くことが出来ないことから、むせる等の危険性が指摘され続け問題であった。【０００５】  本発明は、このような問題点を解決するためになされたものであり、その目的とするところは、老人や乳児など吸引する力が弱い使用者が、人工乳首状吸い口の授乳動作による吸引及び、容器本体への圧迫操作を行うことにより、または、介助者が容器本体への圧迫補助を行うことにより安全で衛生的に吸引動作を補助することが出来る容器を提供することにある。
【課題を解決するための手段】
【０００６】  上記の課題は、以下の本発明により解決することができる。即ち、請求項１に記載した発明は、飲料やその他の流動性を有する内容物を密封包装するフィルムまたは積層シート製の袋状容器において、該袋状容器に人工乳首状吸い口を設けたストローを接合し、人工乳首状吸い口での授乳動作による吸引及び、容器本体への圧迫操作による吸引動作を補助することを特徴とする袋状吸引動作補助容器からなる。【０００７】  請求項２に記載した発明は、ストロー先端に設けた人工乳首状吸い口部を折り込んで収納するキャップを設けたことを特徴とする請求項１記載の吸引動作補助容器からなる。【０００８】  請求項３に記載した発明は、ストロー先端に設定された人工乳首状吸い口部を折り込んで包装したことを特徴とする請求項１記載の吸引動作補助容器からなる。【０００９】  請求項４に記載した発明は、ストロー先端に人工乳首状吸い口部を着脱式に設定したことを特徴とする請求項１記載の吸引動作補助容器からなる。【００１０】  請求項５に記載した発明は、該ストロー先端に着脱式に装着する人工乳首状吸い口部のスペアである。
【発明の効果】
【００１１】  以上、詳しく説明したように、本発明によれば、飲料などの流動性を有する内容物を密封包装する吸引動作補助容器であって、老人や乳児など吸引する力が弱い使用者にも人工乳首状吸い口での授乳動作による吸引及び、容器本体への圧迫操作を用いて吸引動作の補助を行い、または、介助者が容器本体への圧迫補助を行うことにより安全で衛生的に飲料の摂取をすることが出来ると共に、携帯性に優れ、必要に応じて内容物を暖める作業や冷やす作業を容易に行うことが出来る吸引動作補助容器を提供する事ができる。
【技術分野】
【００１２】  本発明は、主に飲料や流動性を有する食品を密封包装するフィルムまたは積層シート製の吸引動作補助容器であって、老人や乳児が内容物を飲用や食する際、容器に設けられた人工乳首状吸い口での授乳動作による吸引及び、容器本体の圧迫操作を用いて吸引動作の補助を行い、または、介助者が容器本体への圧迫補助を行うことにより内容物を安全且つ衛生的に飲用または食することのできる吸引動作補助容器に関する。用途としては、携帯用の哺乳瓶として、また、老人用の介護用食品用容器として、さらに、携帯用の糖尿食用容器として医療の分野での使用も考えられる。
【背景技術】
【００１３】  従来、飲料や食料用容器では、プラスチックの成形体によるキャップ付き容器・ビン製容器・紙製容器や缶容器が上げられる。しかし、これらの容器は、乳児や老人が直接容器から飲料を飲む場合には問題が多く、その為に、他の容器に移し替えるなど面倒であった。
【発明が解決しようとする課題】
【００１４】  しかしながら、例えば、飲料などを包装する小型の紙容器では、飲料を飲むための手段として、袋詰めしたストローを紙容器に取り付け、容器に付属されたストローを使用して飲用する容器があるが、付属のストローが細いために自力での吸引が出来なかった。
【００１５】  本発明は、このような問題点を解決するためになされたものであり、フィルムまたは積層シート製の吸引動作補助容器であって、老人や乳児が内容物を飲用や食する際、容器に設けられた人工乳首状吸い口での授乳動作による吸引及び、容器本体への圧迫操作を用いて吸引動作の補助を行い、または、介助者が容器本体への圧迫補助を行うことにより内容物を安全且つ衛生的に飲用または食することのできる吸引動作補助容器である。
【発明を実施するための最良の形態】
【００１６】  以下に、本発明の実施の形態について説明する。本発明の吸引動作補助容器はフィルムまたは積層シート製の吸引動作補助容器である。
【実施例】
【００１７】  以下に、図面を用いて本発明を更に具体的に説明する。但し、本発明は、その要旨を超えない限り図面に限定されるものではない。【００１８】  図１は、本発明の吸引動作補助容器の一実施例を示す図である。この実施例では、容器本体（１）の周囲がヒートシール部（４）によって袋状に形成され、ヒートシール部（４）の上部には、人工乳首状吸い口部（１０）を設けたストロー（３）が、容器本体（１）にストロー部（３ａ）が埋没する様に、中間の接合部（６）で接合され、容器本体（１）と一体化されている。人工乳首状吸い口（１０）の上部には、吸い込み用の切り口（１１）が設けられている。ストロー（３）には、キャップ（２）が着脱可能な状態に設定することが可能である。キャップ（２）が装着される人工乳首状吸い口部（１０）は、人工乳首状吸い口部（１０）内に空気が入り込まないように折り込んで収納することが好ましい。また、容器本体（１）には、内容物は充填されているが不要な空気は入っていない。本発明の吸引動作補助容器の容器本体（１）を形成する素材は、例えば、メタルとフィルムの積層素材の様な形状復元力が小さい素材や形状復元力が働かない素材の使用が好ましい。また、人工乳首状吸い口部の形状は、口のサイズや形状に合わせて大きさや形状を変えればよい。例えば、横広がりの楕円状の形状など、本発明の要旨を超えない限り限定されるものではない。【００１９】  図２は、本発明の吸引動作補助容器の人工乳首状吸い口を設けたストロー（３）を示す図である。人工乳首状吸い口を設けたストロー（３）は、上部に設定された人工乳首状吸い口部（１０）と、中間の接合部（６）と下部に伸びるストロー吸い口部（３ａ）で構成されている。人工乳首状吸い口部（１０）は、弾力性に富んだ柔軟材料で形成され、該人工乳首状吸い口部の上部には、吸い込み用の切り口（１１）が設けられている。この実施例では、一直線の切込みであるが、Ｙ字の切り込みや半円状の切込みなど、本発明の要旨を超えない限り変形は可能である。ストロー吸い口部（３ａ）は、やや硬質な柔軟性を有した材料で形成され、ストロー吸い口部（３ａ）が袋状容器本体内壁面に挟み込まれて吸引力が落ちないように吸入口を広く確保する工夫がなされている。この実施例では、断面が十字状に形成されている。尚、吸入口を広く確保する形状であれば連続凸状でも連続凹状でも良い。【００２０】    図３は、本発明の吸引動作補助容器の容器本体への圧迫操作方法を示す図である。この操作例では、容器本体（１）の中間部両側から圧迫操作を行っている。圧迫操作を加えられた容器本体（１）は、押しつぶされると同時に内容物を人工乳首状吸い口（１０）まで押し出す。押し出された内容物は、人工乳首状吸い口（１０）に加えられる授乳動作により、吸い込み用の切り口（１１）より吸い出され口へと運ぶことが出来る。勿論、容器本体（１）の両側からの圧迫操作が継続している為に、人工乳首状吸い口（１０）に加えられる授乳動作により内容物が容器本体（１）内へ逆流することはない。
【図面の簡単な説明】
【００２１】
【図１】本発明の吸引動作補助容器の実施例を示す図である。
【図２】本発明の吸引動作補助容器に接合されるストローを示す図である。
【図３】本発明の吸引動作補助容器の容器本体への圧迫操作方法を示す図である。
【符号の説明】
１    容器本体
２    キャップ
３    ストロー
４    ヒートシール部
６    接合部
１０  人工乳首状吸い口
１１  吸い込み用の切り口
【図１】
2007186252.tif 000003
【図２】
2007186252.tif 000004
【図３】
2007186252.tif 000005